(57)【要約】【課題】内装または外装を容易に施工可能な化粧材シートおよび施工方法を提供する。【解決手段】化粧材シート１０は、化粧層１２とマグネット層１４を有する。マグネット層１４は、化粧層１２の一方の面に設けられている。そして、化粧材シート１０のマグネット層１４が設けられている側の面における少なくとも一部の領域に粘着層５０が形成されている。化粧材シート１０を用いた内装または外装の施工方法は、化粧材シート１０を、強磁性体を含む下地２０に貼り付ける工程を含む。【選択図】図１
2018083328.tif 000002
【特許請求の範囲】
【請求項１】
化粧層と、前記化粧層の一方の面に一様に設けられたマグネット層とを有する化粧材シートであって、
当該化粧材シートの前記マグネット層が設けられている側の面における少なくとも一部の領域に粘着層が形成されている、化粧材シート。
【請求項２】
前記粘着層が、アクリル系樹脂、酢酸ビニル系樹脂、シリコーンゴム系樹脂およびオレフィン系樹脂により構成される群から選択される一以上の樹脂成分を含む、請求項１に記載の化粧材シート。
【請求項３】
長尺シートにより構成されており、
当該化粧材シートの前記マグネット層が設けられている側の面を上面視した際に、前記粘着層が、当該化粧材シートの長手方向における一方の端部に設けられている、請求項１または２に記載の化粧材シート。
【請求項４】
当該化粧材シートの前記マグネット層が設けられている側の面を上面視した際に、前記粘着層が、当該化粧材シートの長手方向における他方の端部に設けられている、請求項３に記載の化粧材シート。
【請求項５】
前記粘着層が、当該化粧材シートの前記マグネット層が設けられている側の面から剥離可能に形成されており、
９０°剥離試験で測定される前記粘着層の前記面からの剥離強度が、０．１５Ｎ／ｍｍ以上０．８Ｎ／ｍｍ以下である、請求項１から４のいずれか一項に記載の化粧材シート。
【請求項６】
前記化粧層が、メラミン系樹脂、ポリ塩化ビニル、ポリフッ化ビニル、ポリフッ化ビニリデン、ポリエステル、ポリテトラフルオロエチレン、ポリオレフィン樹脂、および（メタ）アクリル樹脂により構成される群から選択される一以上の樹脂と、熱可塑性エマルジョン樹脂の固形分との少なくともいずれかを含む、請求項１から５のいずれか一項に記載の化粧材シート。
【請求項７】
当該化粧材シートにおける前記マグネット層が設けられている側とは反対側の表面が、メラミン樹脂を含む材料により構成されている、請求項１から６のいずれか一項に記載の化粧材シート。
【請求項８】
請求項１から７のいずれか一項に記載の化粧材シートがロール状に巻き取られたシート巻回体であって、
当該シート巻回体の外周面が、前記化粧材シートの前記マグネット層が設けられている側の面により構成されている、シート巻回体。
【請求項９】
前記粘着層が、当該シート巻回体における外周面に位置する前記化粧材シートの端部に設けられている、請求項８に記載のシート巻回体。
【請求項１０】
強磁性体を含む下地に対して、請求項１から７のいずれか一項に記載の化粧材シートを貼り付ける工程を含む、内装または外装の施工方法であって、
前記貼り付ける工程が、
前記下地と、前記化粧材シートに設けられた前記粘着層とを接合させる工程と、
前記下地と、前記化粧材シートに設けられた前記マグネット層とを接合させる工程と、
をこの順で含む内装または外装の施工方法。
【請求項１１】
前記下地が、前記強磁性体を含む強磁性層を含む、請求項１０に記載の施工方法。
【請求項１２】
前記強磁性層は、強磁性材料を含む板材である、請求項１１に記載の施工方法。
【請求項１３】
前記強磁性層は、強磁性材料を含む塗料の固化物である、請求項１１に記載の施工方法。
【請求項１４】
前記強磁性体は鉄である、請求項１０から１３のいずれか一項に記載の施工方法。
【請求項１５】
強磁性体を含む下地と、
請求項１から７のいずれか一項に記載の化粧材シートと、
が厚み方向に積層してなる積層体であり、
前記下地と、前記化粧材シートに設けられた前記粘着層とが互いに接合するように配されている、壁構造体。
【請求項１６】
強磁性体を含む下地材と、請求項１から７のいずれか一項に記載の化粧材シートと、を含む内装または外装の施工セット。
【発明の詳細な説明】
【技術分野】
【０００１】
本発明は化粧材シート、シート巻回体、施工方法、壁構造体、および施工セットに関する。
【背景技術】
【０００２】
住宅やビル等の内壁や外装の施工においては、壁の意匠性を高めるために化粧材を施す場合がある。なかでも、マグネットを有する化粧材を用いることにより、短時間での施工が可能である。
【０００３】
特許文献１には、可撓性金属板の裏面に複数の永久磁石と粘着テープを配置し、エレベータの内壁に取り付ける内装材が記載されている。
【先行技術文献】
【特許文献】
【０００４】
【特許文献１】実公昭４８−９３２５号公報
【発明の概要】
【発明が解決しようとする課題】
【０００５】
しかし特許文献１の技術では、永久磁石は貼り付け面のごく一部の領域にのみ設けられ、仮止めに用いられるのみであった。したがって、可撓性金属板の外周全体に粘着テープを設ける必要があり、施工作業が煩雑になるおそれがあった。
【０００６】
本発明は、内装または外装を容易に施工可能な化粧材シートおよび施工方法を提供する。
【課題を解決するための手段】
【０００７】
本発明によれば、
化粧層と、前記化粧層の一方の面に一様に設けられたマグネット層とを有する化粧材シートであって、
当該化粧材シートの前記マグネット層が設けられている側の面における少なくとも一部の領域に粘着層が形成されている、化粧材シート
が提供される。
【０００８】
本発明によれば、
上記の化粧材シートがロール状に巻き取られたシート巻回体であって、
当該シート巻回体の外周面が、前記化粧材シートの前記マグネット層が設けられている側の面により構成されている、シート巻回体
が提供される。
【０００９】
本発明によれば、
強磁性体を含む下地に対して、上記の化粧材シートを貼り付ける工程を含む、内装または外装の施工方法であって、
前記貼り付ける工程が、
前記下地と、前記化粧材シートに設けられた前記粘着層とを接合させる工程と、
前記下地と、前記化粧材シートに設けられた前記マグネット層とを接合させる工程と、
をこの順で含む内装または外装の施工方法
が提供される。
【００１０】
本発明によれば、
強磁性体を含む下地と、
上記の化粧材シートと、
が厚み方向に積層してなる積層体であり、
前記下地と、前記化粧材シートに設けられた前記粘着層とが互いに接合するように配されている、壁構造体
が提供される。
【００１１】
本発明によれば、
強磁性体を含む下地材と、上記の化粧材シートと、を含む内装または外装の施工セット
が提供される。
【発明の効果】
【００１２】
本発明によれば、内装または外装を容易に施工可能な化粧材シートおよび施工方法を提供できる。
【図面の簡単な説明】
【００１３】
【図１】第１の実施形態に係る化粧材シートの構造を例示する斜視図である。
【図２】第１の実施形態に係る施工方法を説明するための図である。
【図３】第１の実施形態に係る施工方法を説明するための図である。
【図４】第１の実施形態に係る化粧材シートの構成を例示する断面図である。
【図５】化粧材シートの構造の変形例を示す断面図である。
【図６】化粧材シートがロール状に巻き取られたシート巻回体の構造を例示する斜視図である。
【図７】（ａ）および（ｂ）は、第１の実施形態の施工方法における貼り付ける工程を説明するための図である。
【発明を実施するための形態】
【００１４】
以下、本発明の実施の形態について、図面を用いて説明する。尚、すべての図面において、同様な構成要素には同様の符号を付し、適宜説明を省略する。また、「〜」は特に断りがなければ「以上」から「以下」を表す。
【００１５】
（第１の実施形態）
図１は、第１の実施形態に係る化粧材シート１０の構造を例示する斜視図である。本実施形態の化粧材シート１０は、化粧層１２とマグネット層１４を有する。マグネット層１４は、化粧層１２の一方の面に設けられている。そして、化粧材シート１０のマグネット層１４が設けられている側の面における少なくとも一部の領域に粘着層５０が形成されている。
【００１６】
化粧材シート１０において、マグネット層１４は、化粧層１２の一方の面に一様に設けられていることが好ましいが、マグネット層１４は化粧層１２の一方の面の一部の領域のみに設けられていても良い。また、化粧材シート１０は、マグネット層１４の代わりに、塊状のマグネット部材を有していても良い。
【００１７】
本実施形態の化粧材シート１０は、粘着層５０を備えることにより、下地２０に強く固定される。そして、仮に化粧材シート１０の反り等によってマグネット層１４が下地２０から浮き上がる場合にも、化粧材シート１０が下地２０から脱落することがない。
【００１８】
化粧材シート１０は、壁等と一体となって外観に美観を付与する部材である。本実施形態の化粧材シート１０は、内装または外装に施工される。本実施形態の施工方法は、たとえば部屋や通路等の内壁または外壁を施工する方法である。内装または外装を施工する建物としては、特に限定されないが、ビルや住宅等が挙げられる。
【００１９】
図２および図３は、第１の実施形態に係る施工方法を説明するための図である。図２は本実施形態の方法で施工された壁の断面を示している。ただし、本図では、粘着層５０が含まれていない断面を示している。図３は、本実施形態の方法で施工された壁の斜視図であり、下地２０および化粧材シート１０の一部は省略されている。本実施形態に係る施工方法は、強磁性体を含む下地２０にマグネット層１４を備える化粧材シート１０を貼り付ける内装または外装の施工方法である。
【００２０】
化粧材シート１０は下地２０のほぼ全体を覆うように固定される。たとえば下地２０のうち躯体３０とは反対側の面の９５％以上は化粧材シート１０で覆われている。図２および図３の例において、下地２０は複数の下地層を有する。下地層は壁の骨組みと化粧材シート１０との間に位置する層である。または下地層は、化粧材シート１０よりも壁の内側に位置するように壁の枠組みに嵌め込まれた層である。下地層は、単独でまたは複数が協働して、たとえば構造補強、断熱、防湿、防水、耐火等の機能を発揮する。図２および図３の例では、下地２０は第１下地層２２および第２下地層２４を備える。ただし、下地２０は、さらに他の下地層を備えても良い。下地２０は躯体３０に対して固定されている。
【００２１】
躯体３０は、たとえば建物の躯体であり、建物の構造を支える骨組である。躯体３０は、木材、金属、鉄筋コンクリート等である。なお、下地２０は建物の躯体３０に必ずしも固定されていなくてもよい。たとえば、下地２０と化粧材シート１０との積層体は、室内の空間を区切るパーテーションの一部であっても良い。また、化粧材シート１０は、出隅入り隅材、見切り材、ジョイナー、掲示パネル等として機能してもよい。
【００２２】
下地２０には強磁性体が含まれ、下地２０にマグネットが引きつけられる。強磁性体としては、たとえば鉄、コバルト、ニッケル、及びこれらの合金が挙げられる。中でも、強磁性体が鉄であればコストと性能のバランスがよい。本実施形態において下地２０は、強磁性体を含む強磁性層を含む。たとえば第２下地層２４および第１下地層２２の少なくとも一方は強磁性層である。ここで、下地２０のうち最も化粧材シート１０に近い下地層が強磁性層であることが好ましい。そうすれば、下地２０に対する化粧材シート１０の固定強度を向上させることができる。強磁性層以外の下地層としては、ケイカル（ケイ酸カルシウム）板、石膏ボード、火山性ガラス質複層板等の無機質板や木製合板等が挙げられる。
【００２３】
強磁性層は、たとえば強磁性材料を含む板材である。強磁性材料を含む板材は、たとえば鉄板等、強磁性体の板である。また、強磁性材料を含む板材は、強磁性体以外の材料と鉄粉や鉄箔等の強磁性材料との複合部材であっても良い。複合部材を用いることで、形状の自由度の向上、および軽量化が図れる。強磁性体以外の材料としては樹脂や木材、石膏、ケイ酸カルシウム、セメント、ガラス質材料等が挙げられる。複合部材において、強磁性体以外の材料と強磁性材料とは、混合されていても良いし、積層されていても良い。複合部材はたとえば、樹脂粒子や木材のチップ等と鉄粉を混合して板状に成形することで得られる。または、複合部材は、強磁性体以外の材料の板状部材と鉄箔とを積層し、接着することで得られる。また、下地層を土壁で形成する場合、強磁性材料を混合した土を用いて層を形成することで複合部材としても良い。強磁性層の厚さは特に限定されないが、たとえば１ｍｍ以上２０ｍｍ以下である。
【００２４】
下地２０は、主面に垂直な方向から見て、少なくとも一部の領域に強磁性体を含んでいれば良く、全体に強磁性体を含んでいる必要は無い。下地２０全体の面積に対する、強磁性体を含む領域の面積は特に限定されないが、２０％以上であることが好ましく、５０％以上であることがより好ましい。たとえば、下地２０は、格子状にパターン化された強磁性層を含んでも良い。また、下地２０のうち各化粧材シート１０の外周に対向する領域には、強磁性体が含まれることが好ましい。
【００２５】
強磁性材料を含む板材は、一つの、または二つ以上の開口を有していても良い。板材が開口を有することで、下地２０の重さを低減することができ、建物の耐震性を向上できる。ただし、耐火性向上の観点から、開口は他の下地層を構成する板材同士の境界と重ならないことが好ましい。
【００２６】
また、強磁性層は、強磁性材料を含む塗料の固化物であってもよい。塗料の固化物とは、塗料が固化、または硬化して得られる固体である。この場合、任意の下地層に強磁性材料を含む塗料を塗布し、固化または硬化させることにより強磁性層を形成することができる。
【００２７】
塗料は、強磁性材料およびバインダーを含む。強磁性材料はたとえば鉄粉等の強磁性粉末である。粒子の大きさは特に限定されないが、強磁性粉末のメディアン径Ｄ５０は０．０２ｍｍ以上０．２ｍｍ以下が好ましく、０．０５ｍｍ以上０．１ｍｍ以下がより好ましい。そうすれば、塗料を均一に塗布しやすくなる。また、塗料の固形物における強磁性粉末の含有率は、５０質量％以上９０質量％以下であることが好ましく、６０質量％以上８０質量％以下であることがより好ましい。そうすれば、強磁性粉末を十分に固着させることができるとともに、化粧材シート１０を下地２０に充分な磁力で固定することができる。
【００２８】
塗料に含まれるバインダーとしては、マグネット層１４に含まれるバインダーとして後述する樹脂と同様の樹脂が挙げられる。
【００２９】
また、塗料は、強磁性材料およびバインダーに加えて、溶剤、可塑剤、分散材、増粘剤、その他の添加剤を含んでも良い。これらの添加剤の含有量の合計は、たとえば塗料の固化物に対して５重量％以下である。
【００３０】
塗料は、上記の各成分を混合することにより得られる。
【００３１】
以上のとおり、下地２０に強磁性体が含まれることにより、マグネット層１４が下地２０に引きつけられ、化粧材シート１０を下地２０に固定することができる。そして、化粧材シート１０は下地２０に対して脱着可能であることから、化粧材シート１０が汚れたり傷んだりした場合や、内装または外装のデザインを変更したい場合に下地２０にダメージを与えることなく、短時間で容易に化粧材シート１０の張り替えができる。また、化粧材シート１０を下地２０へ素早く容易に固定できることから、施工期間の短縮が図れる。さらに、施工現場において下地に化粧材シートを固定する際に、接着剤を使用する必要が無い。したがって、乾燥時に有機溶剤等による臭気が発生することがない。
【００３２】
図３に示す様に、第１下地層２２および第２下地層２４はそれぞれ複数の板材で形成されていても良い。ここで、第１下地層２２における複数の板材の境界と、第２下地層２４における複数の板材の境界とは、交差点を除いて互いに重ならないことが好ましい。そうすることで、火災時に境界部から火が漏れ広がることが避けられ、耐火性が向上する。
【００３３】
また、最も化粧材シート１０側の下地層である第２下地層２４において、複数の板材の境界はパテ２０１で埋められている。また、板材と板材との境界に生じる段差は、パテ２０１によっておよそ平らに均されている。
【００３４】
化粧材シート１０は下地２０に対し磁力で固定されている。一つの壁面には、複数の化粧材シート１０が敷き詰められても良い。そうすれば、施工場所までの化粧材シート１０の運搬が容易となる。化粧材シート１０が可撓性を有する場合、ロール状に丸めて運搬することができる。化粧材シート１０の巻回体については、詳しく後述する。また、壁面に複数の化粧材シート１０を並べて固定する場合、化粧材シート１０と化粧材シート１０との間には隙間を設けても良い。そうすれば、化粧材シート１０が水分等によって膨張・収縮する場合でも、化粧材シート１０にたわみ等が生じにくい。ただし、化粧材シート１０の全体が、樹脂などの膨張・収縮しにくい材料からなる場合には、化粧材シート１０と化粧材シート１０との間には隙間を設けなくても良い。
【００３５】
図４は、本実施形態に係る化粧材シート１０の構成を例示する断面図である。本実施形態に係る化粧材シート１０について以下に説明する。ただし、化粧材シート１０は以下の構造に限定されない。
【００３６】
本実施形態の化粧材シート１０は、化粧層１２、接着層１３、マグネット層１４、および粘着層５０を備える。化粧層１２の構造は特に限定されないが、本実施形態において化粧材シート１０は表面層１２０および芯材層１２９を含む。化粧層１２は樹脂を含んで構成されることが好ましい。そうすれば、軽量化を図ることができるため、化粧材シート１０の重量を所定の範囲に抑えつつマグネット層１４を全面に設けることが可能となる。化粧層１２の坪量はたとえば０．１ｋｇ／ｍ２以上１．０ｋｇ／ｍ２以下とすることが好ましい。化粧層１２は、たとえばメラミン系樹脂、ポリ塩化ビニル、ポリフッ化ビニル、ポリフッ化ビニリデン、ポリエステル、ポリテトラフルオロエチレン、ポリオレフィン樹脂、および（メタ）アクリル樹脂により構成される群から選択される一以上の樹脂と、熱可塑性エマルジョン樹脂の固形分との少なくともいずれかを含んで構成される。
【００３７】
本図の例において表面層１２０は芯材層１２９と接している。さらに表面層１２０は、印刷基材１２２、印刷部１２１、第１樹脂層１２３、および第２樹脂層１２４を含んで構成されている。化粧材シート１０の第１面１０１には、表面層１２０が露出している。ただし、表面層１２０は印刷基材１２２および印刷部１２１を含んでいなくても良い。たとえば表面層１２０はエンボス加工により凹凸が施された樹脂層や金属層を含むことにより、意匠性を生じても良い。また、化粧材シート１０の第１面１０１の表面に意匠が施されていても良い。
【００３８】
化粧材シート１０は全体として可撓性を有することが好ましい。そうすれば湾曲した下地にも固定することができる。具体的には化粧材シート１０は、２５℃において１０ｍｍの曲げ半径で湾曲させたとき、亀裂が生じない程度の可撓性を有することが好ましい。
【００３９】
化粧層１２は、内装および外装に意匠性を付与する部分である。化粧層１２は、第１面１０１側から見て美観を起こさせる意匠性を有する。本図の例においては、化粧層１２は第１面１０１側から印刷部１２１、すなわち印刷された模様等のデザインを視認可能に構成されている。
【００４０】
表面層１２０は、たとえば意匠面となる第１面１０１側にメラミン樹脂を含有する樹脂（第１樹脂層１２３）を担持し、芯材層１２９と接する第２面１０２側に熱可塑性エマルジョン樹脂の固形分（第２樹脂層１２４）を担持する印刷基材１２２からなる表面層材料で構成される。なお、第２面１０２は、化粧材シート１０の第１面１０１とは反対側の面である。以下に詳しく説明する。
【００４１】
印刷基材１２２は、たとえばパルプ、リンター、合成繊維、ガラス繊維である。また、印刷基材１２２は、酸化チタンなどの顔料を含有する酸化チタン含有化粧紙であってもよい。
【００４２】
本図の例において、印刷部１２１は化粧材シート１０に意匠性を付与する。印刷部１２１は印刷により印刷基材１２２に担持されたインクである。印刷部１２１は、印刷基材１２２の表面に層状に形成されていてもよいし、少なくとも一部が印刷基材１２２に含浸していてもよい。印刷法は、特に限定されないが、グラビア印刷、インクジェット印刷、オフセット印刷等を用いることができる。
【００４３】
第１樹脂層１２３は、樹脂（Ａ）を含む層であり、印刷基材１２２の第１面１０１側に位置する透明な層である。樹脂（Ａ）は、メラミン系樹脂を含む。樹脂（Ａ）は中でもメラミン樹脂を含むことが好ましい。そして、化粧材シート１０における第１面１０１、すなわちマグネット層１４が設けられている側とは反対側の表面が、メラミン樹脂を含む材料により構成されていることが好ましい。これにより、化粧材シート１０の表面がメラミン樹脂を含むこととなり、化粧層１２の表面に好適な硬度を付与することができる。ひいては、化粧材シート１０の耐久性を高めることができる。本図の例において、化粧材シート１０の第１面１０１には、第１樹脂層１２３が露出している。
【００４４】
メラミン樹脂としては、特に限定されず、例えば、メラミンとホルムアルデヒドを中性または弱アルカリ下において反応させて得られるものを用いることができる。
【００４５】
また、メラミン樹脂としては、住友化学（株）製のメラミン樹脂等、市販のものを用いることもできる。
【００４６】
樹脂（Ａ）を印刷基材１２２の第１面１０１側に担持させる方法としては、特に限定されず、例えば、樹脂（Ａ）を溶媒に溶解した樹脂ワニスを、例えば、スプレー装置、シャワー装置、キスコーター、コンマコーター等の装置を用いて塗工した後、８０〜１３０℃程度で加熱乾燥する方法等が挙げられる。
【００４７】
樹脂（Ａ）を溶解する溶剤としては、特に限定されず、例えば、水、メタノール等が挙げられる。中でも水が好ましい。また、悪影響を及ぼさない範囲で貧溶媒を使用しても構わない。樹脂ワニスの固形分（溶剤を除く全成分）は、特に限定されないが、樹脂ワニスの３０〜７０質量％であるのが好ましく、４５〜６０質量％であるのがより好ましい。これにより、樹脂ワニスの基材への含浸性を向上できる。
【００４８】
第２樹脂層１２４は、樹脂（Ｂ）を含む層である。樹脂（Ｂ）は、たとえば熱可塑性エマルジョン樹脂の固形分である。なお、本明細書中おいて、熱可塑性エマルジョン樹脂とは、熱可塑性樹脂が溶剤に分散してエマルジョン状態となったものである。また、熱可塑性エマルジョン樹脂の固形分とは、熱可塑性エマルジョン樹脂から溶剤を除いた成分を意味する。
【００４９】
熱可塑性エマルジョン樹脂の固形分は、エマルジョン樹脂粒子として存在する成分を含み、金属や各種素材との接着特性を有し、化粧層１２に柔軟性を付与する。したがって、表面層１２０の第２面１０２側に熱可塑性エマルジョン樹脂の固形分が担持されることにより、表面層１２０と芯材層１２９との接着強度を向上させることができるとともに、化粧層１２の曲げ加工性を向上させることができる。
【００５０】
熱可塑性エマルジョン樹脂の固形分としては、たとえば、アクリル樹脂、ウレタン樹脂、酢酸ビニル系共重合体、ウレタンアクリル複合粒子、スチレンブタジエンゴム（ＳＢＲ）、ニトリルゴム（ＮＢＲ）等の熱可塑性樹脂のエマルジョン粒子が挙げられる。これらの中でもウレタンアクリル複合粒子が好ましい。本明細書中において、ウレタンアクリル複合粒子とは、単一粒子内にアクリル樹脂とウレタン樹脂との異相構造を有するものを意味する。
【００５１】
ウレタン樹脂とアクリル樹脂は、各々が芯材層１２９との接着強度が高いため、ウレタンアクリル複合粒子を用いることで、芯材層１２９との良好な接着強度を発現することができる。さらに、ウレタン樹脂は、特に強靭性、弾性、柔軟性に優れ、アクリル樹脂は、特に透明性、耐久性、耐候性、耐薬品性、造膜性に優れる。
【００５２】
また、本明細書中において「異相構造」とは、１個の粒子内に異なる種類の樹脂からなる相が複数存在する構造を意味し、例えば、コアシェル構造、局在構造、海島構造等が挙げられる。
【００５３】
なお、熱可塑性エマルジョン樹脂の固形分としては、これらの中の１種類が単独で含まれるものを用いることもできるし、異なる２種類以上の熱可塑性樹脂を混合して含むものを用いることもできる。
【００５４】
また、熱可塑性エマルジョン樹脂の固形分には、上記熱可塑性樹脂のエマルジョン粒子以外にも、必要に応じて少量の増粘剤、浸透促進剤、消泡剤等を含んでいてもよい。
【００５５】
熱可塑性エマルジョン樹脂の固形分は、平均粒径が３０〜１００ｎｍのエマルジョン樹脂粒子を含むことが好ましく、エマルジョン樹脂粒子の平均粒径は、６０〜９０ｎｍであることがより好ましい。これにより、印刷基材１２２の繊維間への含浸性が向上し、より印刷基材１２２の内部に含浸させることができるため、表面層１２０に良好な柔軟性を付与することができる。
【００５６】
熱可塑性エマルジョン樹脂の固形分を印刷基材１２２の第２面１０２側に担持させる方法としては、特に限定されず、樹脂（Ａ）を印刷基材１２２の第１面１０１側に担持させる上述の方法と同様にして行うことができる。つまり、溶剤に溶解されたエマルジョン状態の熱可塑性エマルジョン樹脂を塗工、加熱乾燥する方法等が挙げられる。
【００５７】
熱可塑性エマルジョン樹脂に用いられる溶剤としては、特に限定されず、例えば、水等が挙げられる。また、悪影響を及ぼさない範囲で貧溶媒を使用しても構わない。熱可塑性エマルジョン樹脂の固形分（溶剤を除く全成分）は、特に限定されないが、熱可塑性エマルジョン樹脂の２５〜６０質量％であるのが好ましく、３０〜４５質量％であるのがより好ましい。これにより、熱可塑性エマルジョン樹脂の基材への含浸性を向上できる。
【００５８】
なお、第１樹脂層１２３および第２樹脂層１２４は単独で層を形成していなくてもよい。すなわち、樹脂（Ａ）および樹脂（Ｂ）は印刷基材１２２に担持されていればよい。ここで、印刷基材１２２が樹脂を担持するとは、樹脂が基材（担体）の表面に付着し、または、基材内部の空隙部に含浸され、表面層材料の成形後に担持させた樹脂の性能を発現することを可能にする状態であることを意味する。第１樹脂層１２３および第２樹脂層１２４はたとえば、表面層１２０において層状の分布を有している。なお、樹脂は、基材の表面および基材の内部に均一に分布していなくてもよい。
【００５９】
芯材層１２９は、たとえばガラスクロス、またはガラスクロスを基材とするプリプレグを含んで構成されている。これにより、化粧層１２に、耐熱性、不燃性、剛性などを付与することができる。
【００６０】
芯材層１２９の厚みは、５０μｍ以上とすることが好ましい。これにより、化粧層１２に充分な耐熱性、不燃性を付与することができる。また、厚みの上限については、特に限定されないが、厚みが大きいほど化粧層１２の厚みと重量が増大すると共に、コストも嵩むため、最終的な製品における設計上、許容される範囲で設定することが好ましく、３５０μｍ以下にすることが好ましい。
【００６１】
マグネット層１４は、化粧層１２の第２面１０２側に固定されている。化粧材シート１０がマグネット層１４を備えることにより、強磁性体を含む下地２０に化粧材シート１０を脱着可能に取り付けることができる。また、施工場所で溶剤を用いることなく、化粧材シート１０を下地２０に取り付けることができる。化粧材シート１０が下地２０に十分強く固定されるためにマグネット層１４の磁束密度は２０ｍＴ以上であることが好ましい。また、マグネット層１４は、化粧材シート１０の主面に垂直な方向から見て７５％以上の領域に設けられていることが好ましく、ほぼ全面に設けられていることがより好ましい。そうすれば、化粧材シート１０の下地２０からの浮き等が生じず、また、化粧材シート１０の平面形状を加工した場合であっても化粧材シート１０の下地２０への着脱機能を確保できる。なお、マグネット層１４が化粧材シート１０のほぼ全面に設けられているとは、たとえば化粧材シート１０の主面に垂直な方向から見て９０％以上の領域に設けられていることをいう。
【００６２】
マグネット層１４は、磁石粉末をバインダー（結合樹脂）で結合してなる層であり、たとえばマグネットシートである。磁石粉末は、優れた磁気特性を有するものが好ましい。このような磁石粉末としては、例えば、Ｒ（ただし、Ｒは、Ｙを含む希土類元素のうちの少なくとも１種）を含む合金、特にＲ（ただし、Ｒは、Ｙを含む希土類元素のうちの少なくとも１種）とＴＭ（ただし、ＴＭは、遷移金属のうちの少なくとも１種）とＢ（ボロン）とを含む合金が挙げられる。
【００６３】
マグネット層１４に含まれるバインダーとしては、熱可塑性樹脂、熱硬化性樹脂のいずれでもよい。熱可塑性樹脂としては、例えば、ポリアミド（例：ナイロン６、ナイロン４６、ナイロン６６、ナイロン６１０、ナイロン６１２、ナイロン１１、ナイロン１２、ナイロン６−１２、ナイロン６−６６、ナイロン６Ｔ、ナイロン９Ｔ）、熱可塑性ポリイミド、芳香族ポリエステル等の液晶ポリマー、ポリフェニレンオキシド、ポリフェニレンサルファイド、ポリエチレン、ポリプロピレン、エチレン−酢酸ビニル共重合体等のポリオレフィン、変性ポリオレフィン、ポリカーボネート、ポリメチルメタクリレート、ポリエチレンテレフタレート、ポリブチレンテレフタレート等のポリエステル、ポリエーテル、ポリエーテルエーテルケトン、ポリエーテルイミド、ポリアセタール等、またはこれらを主とする共重合体、ブレンド体、ポリマーアロイ等が挙げられ、これらのうちの１種または２種以上を混合して用いることができる。
【００６４】
熱硬化性樹脂としては、例えば、ビスフェノール型、ノボラック型、ナフタレン系等の各種エポキシ樹脂、フェノール樹脂、ユリア樹脂、メラミン樹脂、ポリエステル（不飽和ポリエステル）樹脂、ポリイミド樹脂、シリコーン樹脂、ポリウレタン樹脂等が挙げられ、これらのうちの１種または２種以上を混合して用いることができる。なお、使用される熱硬化性樹脂（未硬化）は、室温で液状のものでも、固形（粉末状）のものでもよい。
【００６５】
マグネット層１４の厚さ（平均厚さ）は、磁力の強さおよび審美的な観点から適宜変更されるが、０．１５〜６ｍｍであるのが好ましく、０．６〜２ｍｍであるのがより好ましい。マグネット層１４の大きさ・形状は、化粧材シート１０の形状等によって適宜変更することができる。
【００６６】
マグネット層１４は、接着層１３により化粧層１２に固定されている。接着層１３は特に限定されないが、たとえば、主として粘着剤で構成されている。この粘着剤としては、ゴム系粘着剤、アクリル系粘着剤、シリコーン系粘着剤等を挙げることができる。
【００６７】
アクリル系粘着剤としては、粘着性を与える低Ｔｇの主モノマー成分、接着性や凝集力を与える高Ｔｇのコモノマー成分、架橋や接着性改良のための官能基含有モノマー成分を主とする重合体または共重合体よりなる。
【００６８】
主モノマー成分としては、例えば、アクリル酸エチル、アクリル酸ブチル、アクリル酸アミル、アクリル酸２−エチルヘキシル、アクリル酸オクチル、アクリル酸シクロヘキシル、アクリル酸ベンジル等のアクリル酸アルキルエステルや、メタクリル酸ブチル、メタクリル酸２−エチルヘキシル、メタクリル酸シクロヘキシル、メタクリル酸ベンジル等のメタクリル酸アルキルエステル等を挙げることができる。
【００６９】
コモノマー成分としてはアクリル酸メチル、メタクリル酸メチル、メタクリル酸エチル、酢酸ビニル、スチレン、アクリロニトリル等が挙げられる。
【００７０】
官能基含有モノマー成分としては、例えば、アクリル酸、メタクリル酸、マレイン酸、イタコン酸等のカルボキシル基含有モノマーや、２−ヒドロキシエチル（メタ）アクリレ−ト、２−ヒドロキシプロピル（メタ）アクリレ−ト、Ｎ−メチロールアクリルアミド等のヒドロキシル基含有モノマー、アクリルアミド、メタクリルアミド、グリシジルメタクリレート等が挙げられる。
【００７１】
また、ゴム系粘着剤としては、例えば、天然ゴム系、イソプレンゴム系、スチレン−ブタジエン系、再生ゴム系、ポリイソブチレン系のものや、スチレン−イソプレン−スチレン、スチレン−ブタジエン−スチレン等のゴムを含むブロック共重合体を主とするもの等を挙げることができる。
【００７２】
また、シリコーン系粘着剤としては、例えば、ジメチルシロキサン系、ジフェニルシロキサン系のもの等を挙げることができる。
【００７３】
以上のような粘着剤は、非架橋型、架橋型のいずれのものも使用可能である。後者の場合、必要に応じ、架橋剤を添加することができる。架橋剤としては、例えば、エポキシ系化合物、イソシアナート系化合物、金属キレート化合物、金属アルコキシド、金属塩、アミン化合物、ヒドラジン化合物、アルデヒド系化合物等が挙げられる。このような粘着剤は、有機溶剤系、エマルション系のいずれでもよい。
【００７４】
また、接着層１３には、例えば、可塑剤、粘着付与剤、増粘剤、充填材、老化防止剤、防腐剤、防カビ剤、染料、顔料等の各種添加剤が必要に応じ添加されていてもよい。
【００７５】
なお、芯材層１２９に接着剤が含浸されている場合等、芯材層１２９が接着層１３を兼ねていても良い。また、化粧層１２は、さらに保護層を有していても良い。保護層は第１面１０１に露出するよう設けることができる。
【００７６】
粘着層５０は、マグネット層１４の露出面のうち少なくとも一部の領域に形成されている。粘着層５０は両面粘着テープや粘着剤の塗布層であり得る。粘着層５０が両面粘着テープである場合、粘着層５０は支持層と、支持層の両面に積層された粘着膜とを含んでよい。支持層としては、不織布、発砲体、樹脂、紙等が挙げられる。
【００７７】
粘着性および耐久性の観点から、粘着層５０はアクリル系樹脂、酢酸ビニル系樹脂、シリコーンゴム系樹脂およびオレフィン系樹脂により構成される群から選択される一以上の樹脂成分を含むことが好ましい。なお、粘着層５０のうちマグネット層１４とは反対側の面には、紙や樹脂等からなる剥離可能な剥離フィルムが積層されていても良い。化粧材シート１０を下地２０に施工する際には、剥離フィルムを剥がして粘着層５０を下地２０に貼り付けることができる。
【００７８】
粘着層５０は上記した樹脂成分に加えて、たとえば粘着付与剤、架橋剤等の添加剤を含んでも良い。
【００７９】
粘着層５０の厚さはたとえば０．２ｍｍ以下である。したがって、施工後の化粧材シート１０の表面を、ほぼ平らに保つことができる。
【００８０】
粘着層５０は、化粧材シート１０のマグネット層１４が設けられている側の面から剥離可能に形成されていることが好ましい。具体的には９０°剥離試験で測定される粘着層５０の当該面からの剥離強度が、０．１５Ｎ／ｍｍ以上０．８Ｎ／ｍｍ以下であることが好ましい。そうすれば、一度施工した化粧材シート１０を剥がして再利用しようとする際に、粘着層５０のみを交換することができる。なお、接着層１３の化粧層１２からの剥離強度、および接着層１３にマグネット層１４からの剥離強度は、それぞれ粘着層５０のマグネット層１４からの剥離強度よりも大きい。
【００８１】
また粘着層５０は、下地２０の表面から剥離可能に形成されていることが好ましい。具体的には９０°剥離試験で測定される、粘着層５０の下地２０の表面からの剥離強度が、０．１５Ｎ／ｍｍ以上０．８Ｎ／ｍｍ以下であることが好ましい。そうすれば、下地２０にダメージを与えることなく化粧材シート１０を剥がし、容易に新たな内装を施すことができる。
【００８２】
化粧材シート１０における粘着層５０の面積は特に限定されないが、化粧材シート１０の主面に垂直な方向から見て、化粧材シート１０全体の面積をＳ１とし、粘着層５０の面積をＳ２としたとき、Ｓ２／Ｓ１で表される値は０．３以下であることが好ましく、０．２以下であることがより好ましい。そうすれば、下地２０に対する化粧材シート１０の脱着を容易にできる。
【００８３】
化粧材シート１０の製造方法について以下に説明する。化粧材シート１０は、化粧層１２に接着層１３を介してマグネット層１４を固定し、さらに粘着層５０を設けることにより形成される。具体的には、化粧層１２に接着層１３を構成する粘着剤等を塗布し、マグネット層１４を積層する。ただし、粘着剤を塗布したマグネット層１４を化粧層１２に積層してもよい。そして、マグネット層１４の表面に粘着層５０を形成する。粘着層５０は、たとえば市販の両面粘着テープをマグネット層１４に貼り付けて形成することができる。または、マグネット層１４の表面の所定の領域に、粘着剤を塗布することにより、粘着層５０を形成することができる。
【００８４】
化粧層１２は、表面層１２０と芯材層１２９とを重ね合わせ、これを加熱加圧成形して積層することにより得られる。また、化粧層１２の成形時に、所定の板材を重ねることにより、化粧材シート１０の第１面１０１の表面粗さや光の反射率等を調整することができ、デザイン性を高めることができる。
【００８５】
表面層１２０は、以下の様にして得られる。まず、印刷基材１２２に模様等のデザインを印刷することにより印刷部１２１を形成する。次いで、印刷部１２１を設けた印刷基材１２２の一方の面に第１樹脂層１２３を形成し、他方の面に第２樹脂層１２４を形成する。
【００８６】
なお、化粧材シート１０の製造方法は上記した方法に限定されない。たとえば、必要に応じて担体フィルムを使用してもよい。担体フィルムは製造時においていずれかの層を保護したり、製造を容易にしたりするために用いられる。担体フィルムは、その後除去されることにより、化粧材シート１０には含まれない。
【００８７】
また、本図では、印刷部１２１が化粧層１２の内部に位置する例を示したが、印刷部１２１は化粧層１２の第１面１０１側の表面に位置していてもよい。
【００８８】
図５は、化粧材シート１０の構造の変形例を示す断面図である。本変形例に係る化粧材シート１０は、化粧層１２の構造を除いて図４に例示した化粧材シート１０と同じである。
【００８９】
本変形例において化粧層１２は第１樹脂層１２３、第２樹脂層１２４、および印刷部１２１を備える。そして第２樹脂層１２４が印刷基材１２２として機能する。
【００９０】
第１樹脂層１２３は、透明な樹脂フィルムである。第１樹脂層１２３は、合成樹脂、例えば、ポリ塩化ビニル、ポリフッ化ビニル、ポリフッ化ビニリデン、ポリエステル、ポリテトラフルオロエチレン、ポリオレフィン樹脂、又は（メタ）アクリル樹脂を含む。第１樹脂層１２３は、たとえばエンボス圧延加工によるラミネートによって、印刷部１２１が形成された第２樹脂層１２４に積層される。第１樹脂層１２３の厚さはたとえば１０μｍ以上８０μｍ以下である。
【００９１】
第２樹脂層１２４は、合成樹脂、例えば、ポリ塩化ビニル、ポリフッ化ビニル、ポリフッ化ビニリデンポリエステル、ポリオレフィン樹脂、又は（メタ）アクリル樹脂を含む。第２樹脂層１２４は、さらに、不燃性の無機充填材を含んでもよい。無機充填材としては、ＣａＣＯ３、Ｍｇ（ＯＨ）２、Ａｌ（ＯＨ）３、ＳｉＯ２、粘土（例えば、モンモリロナイト又はカオリン）等が挙げられる。第２樹脂層１２４の厚さはたとえば６０μｍ以上１５０μｍ以下である。第２樹脂層１２４はたとえばキャスティング、またはカレンダリングにより形成することができる。
【００９２】
本変形例に係る化粧材シート１０は化粧層１２の形成方法を除いて図４を用いて説明した化粧材シート１０の製造方法と同じである。本実施形態において化粧層１２は、第２樹脂層１２４のうち第１面１０１側となる面に印刷により印刷部１２１を形成し、次いで、印刷部１２１を覆うように第１樹脂層１２３を形成することで得られる。
【００９３】
なお、化粧材シート１０の構造は上記した例に限定されない。化粧材シート１０は、たとえば布、麻、綿、絹等のクロス、塩化ビニル・ＰＥＴ・ポリオレフィン等のプラスチック樹脂、ＳＵＳ・アルミ等の金属（箔）、段ボール等の紙類、木材、竹、籐のうちの一以上の材料を含んで構成されることができる。
【００９４】
図６は、化粧材シート１０がロール状に巻き取られたシート巻回体の構造を例示する斜視図である。化粧材シート１０は、シート巻回体とすることで、広げた状態に比べて幅を小さくでき、容易に運搬および施工ができる。
【００９５】
化粧材シート１０の巻き取り方は特に限定されないが、本図に示す様に、シート巻回体の外周面が、化粧材シート１０のマグネット層１４が設けられている側の面により構成されていることが好ましい。化粧層１２に比べてマグネット層１４は伸縮性が高いことから、マグネット層１４を外側にすることで、巻き取りによる化粧材シート１０へのダメージが小さくなる。また、化粧層１２が内側になることで、意匠面を保護することができる。くわえて、後述するように、巻き取った状態から容易に施工できる。
【００９６】
本実施形態に係る内装または外装の施工方法は、化粧材シート１０を、下地２０に貼り付ける工程を含む。ここで、マグネット層１４と下地２０との間の少なくとも一部には、粘着層５０が介在する。また、本施工方法は、躯体３０等、壁の構造部材（骨組み）に下地２０を固定する工程を含んでもよい。下地２０を固定する工程では、構造部材に対し、ステイプラーやネジ等で、壁面のほぼ全体を覆うように複数の板材を取り付け、第１下地層２２を形成する。次いで、第１下地層２２に対し、第１下地層２２のほぼ全体を覆うように複数の板材をステイプラーやネジ等で取り付け、第２下地層２４を形成する。たとえば第２下地層２４は強磁性層である。そして、第２下地層２４を構成する複数の板材同士の境界にパテ２０１を塗って隙間を埋めるとともに段差を均す。次いで、下地２０に複数の化粧材シート１０を貼り付ける工程では、化粧材シート１０のマグネット層１４を下地２０側に向け、化粧材シート１０を下地２０に貼り付ける。貼り付ける工程については詳しく後述する。
【００９７】
もし、化粧材シート１０を交換したい場合には、化粧材シート１０を下地２０から剥がし、新たな化粧材シート１０を下地２０に貼り付ければよい。
【００９８】
なお、下地２０の強磁性層と化粧材シート１０との間には他のシート材が挟み込まれてもよい。そうすれば、やむを得ず化粧材シート１０を取り外した状態としている間にも、意匠性を失わずに済む。シート材としてはたとえば、塩化ビニルシート等の樹脂シート、および紙が挙げられる。シート材は、下地２０の一部としてたとえば下地２０の最表面（最も化粧材シート１０側の面）を形成するように張り付けられていてもよいし、下地２０と化粧材シート１０との間に挟み込まれてもよい。また、シート材を設ける代わりに、下地２０の最表面に、塗料による塗装膜を形成しても良い。その場合でも同様の効果が得られる。
【００９９】
また、化粧材シート１０の重量が大きい場合には、磁力での固定のみならず、物理的な支持手段をさらに用いて下地２０に化粧材シート１０を固定してもよい。
【０１００】
図７（ａ）および図７（ｂ）は、本実施形態の施工方法における貼り付ける工程をさらに説明するための図である。
【０１０１】
本実施形態において、化粧材シート１０には予め粘着層５０が設けられている。したがって、化粧材シート１０は、下地２０に対して粘着層５０を貼り付けると共に、マグネット層１４による磁力で化粧材シート１０を下地２０に固定する。
【０１０２】
図７（ａ）および図７（ｂ）では、シート巻回体の外周面が、化粧材シート１０のマグネット層１４が設けられている側の面により構成されている例を示している。すなわち、貼り付ける工程において下地２０に対向させる側の面が巻回体の外側に露出している。この場合、施工を行う作業者は、巻き取られた方向と逆方向に化粧材シート１０を広げつつ、端部から化粧材シート１０を下地２０に貼り付けることができる。具体的には、下地２０のうち化粧材シート１０を貼り付けようとする領域の端辺と、化粧材シート１０の端辺とが揃うように位置を決めて化粧材シート１０の端部を下地２０に固定する。そして、化粧材シート１０の残りの部分を、巻回体を広げながら下地２０に貼り付けていく。
【０１０３】
たとえば図７（ａ）に示す例では、化粧材シート１０の端辺と下地２０の上辺２０２とが揃うように、化粧材シート１０を固定し、下に向かって巻回体を広げながら化粧材シート１０の残りの部分を下地２０に貼り付けていく。また、図７（ｂ）に示す例では、化粧材シート１０の端辺と下地２０の下辺２０３とが揃うように、化粧材シート１０を固定し、上に向かって巻回体を広げながら化粧材シート１０の残りの部分を下地２０に貼り付けていく。ここで、化粧材シート１０を壁面に施工する場合において、上辺２０２は施工する領域の天井側の一辺であり、下辺２０３は床側の一辺である。なお、これらの例に限定されず、たとえば化粧材シート１０を横方向に広げながら下地２０に貼り付けても良い。
【０１０４】
化粧材シート１０における粘着層５０の位置について以下に説明する。粘着層５０の位置は特に限定されないが、粘着層５０は、化粧材シート１０の主面に垂直な方向から見て（以下、「上面視」ともいう。）、化粧材シート１０の少なくともいずれかの端部に設けられていることが好ましい。そうすることで、反りなどにより化粧材シート１０の端部が下地２０から浮き上がることを防ぐことができる。なかでも、化粧材シート１０が壁等に施工される場合、粘着層５０は、化粧材シート１０のうち下地２０に貼り付けられた状態で上側となる端部に少なくとも設けられていることがより好ましい。そうすることにより、化粧材シート１０と下地２０の間にはたらく磁力が充分でなくなった場合でも、化粧材シート１０が脱落することがない。
【０１０５】
また、粘着層５０は、化粧材シート１０の主面に垂直な方向から見て、互いに反対側に位置する化粧材シート１０の二つの端部に設けられていることが好ましい。そうすることにより、化粧材シート１０と下地２０の間にはたらく磁力が充分でなくなった場合でも、粘着層５０の粘着力により下地２０を化粧材シート１０で覆っておくことができる。
【０１０６】
たとえば化粧材シート１０が長尺シートにより構成されており、化粧材シート１０の長手方向を施工領域の上下方向とする場合について説明する。この場合、化粧材シート１０のマグネット層１４が設けられている側の面を上面視した際に、粘着層５０が、化粧材シート１０の長手方向における一方の端部に設けられていることが好ましい。また、化粧材シート１０のマグネット層１４が設けられている側の面を上面視した際に、粘着層５０が、化粧材シート１０の長手方向における他方の端部にも設けられていることがより好ましい。
【０１０７】
ただし、上記の例に限定されず、化粧材シート１０の長手方向を施工領域の左右方向としてもよい。この場合、化粧材シート１０のマグネット層１４が設けられている側の面を上面視した際に、粘着層５０が、化粧材シート１０の短手方向における一方の端部に設けられていることが好ましい。また、化粧材シート１０のマグネット層１４が設けられている側の面を上面視した際に、粘着層５０が、化粧材シート１０の短手方向における他方の端部にも設けられていることがより好ましい。
【０１０８】
また、化粧材シート１０はたとえば正方形であっても良い。また、化粧材シート１０の外形は矩形に限らない。たとえば矩形の一部が切り取られたり、切り込みが入れられたりした形状であっても良い。また、化粧材シート１０には開口が形成されていても良い。化粧材シート１０は、施工する領域の形状にあわせて、容易に形状を加工することができる。そしてたとえば、壁面に設けられたスイッチやコンセント、窓、ドア等を避けて、化粧材シート１０を貼り付けることができる。
【０１０９】
化粧材シート１０をシート巻回体とする場合、粘着層５０は、シート巻回体における外周面に位置する化粧材シート１０の端部に設けられていることが好ましい。そうすれば、化粧材シート１０を下地２０に貼り付ける工程において、化粧材シート１０の端部を粘着層５０でしっかりと下地２０に貼り付けた後、巻回体を広げつつ化粧材シート１０の残りの部分を下地２０に貼り付けることができる。この場合、貼り付ける工程が、下地２０と化粧材シート１０に設けられた粘着層５０とを接合させる工程、および下地２０と化粧材シート１０に設けられたマグネット層１４とを接合させる工程をこの順で含むこととなる。なお、粘着層５０の端辺は化粧材シート１０の端辺に一致していても良いし、一致していなくても良い。
【０１１０】
なお、シート巻回体における外周面に位置する化粧材シート１０の端部とは反対側の端部に粘着層５０が設けられている場合、貼り付ける工程は、下地２０と化粧材シート１０に設けられたマグネット層１４とを接合させる工程、および下地２０と化粧材シート１０に設けられた粘着層５０とを接合させる工程をこの順で含んでもよい。
【０１１１】
また、巻回体において湾曲している化粧材シート１０の端部、すなわち、巻き取り方向に平行な端部には、粘着層５０が設けられていないことが好ましい。そうすれば、巻回体を広げつつ化粧材シート１０を下地２０に貼り付ける作業が容易かつ迅速に行える。また、化粧材シート１０を張り替える際に容易に化粧材シート１０を下地２０から剥がすことができる。
【０１１２】
本実施形態に係る施工方法は、たとえば強磁性体を含む下地材と、化粧材シート１０と、を含む内装または外装の施工セットを用いて実現される。
【０１１３】
また、本実施形態に係る施工方法によれば、強磁性体を含む下地２０と、化粧材シート１０とが厚み方向に積層してなる積層体であり、下地２０と、化粧材シート１０に設けられた粘着層５０とが互いに接合するように配されている壁構造体が得られる。
【０１１４】
なお、以上では主に内装の施工方法について説明したが、内装に限定されず、複数の化粧材シート１０は外装に用いられても良い。化粧材シート１０はたとえば外装用のパネル、シート、タイル等であり得る。
【０１１５】
次に、本実施形態の作用および効果について説明する。本実施形態の化粧材シート１０によれば、内装または外装を容易に施工できる。また化粧材シート１０は、粘着層５０を備えることにより、下地２０に強く固定される。そして、仮に化粧材シート１０の反り等によってマグネット層１４が下地２０から浮き上がる場合にも、化粧材シート１０が下地２０から脱落することがない。
【０１１６】
（第２の実施形態）
第２の実施形態に係る化粧材シート１０および施工方法は、化粧材シート１０が予め粘着層５０を備えない点を除いて第１の実施形態に係る化粧材シート１０および施工方法と同じである。
【０１１７】
本実施形態に係る施工方法は、化粧材シート１０を、粘着層５０を介して下地２０に貼り付ける工程を含む。本施工方法では、貼り付ける工程において粘着層５０を化粧材シート１０と下地２０の間に取り付ける。以下に詳しく説明する。
【０１１８】
本実施形態の施工方法の第１例では、たとえば、化粧材シート１０を下地２０に位置決めし、マグネット層１４の磁力で化粧材シート１０を下地２０に貼り付ける。その後、化粧材シート１０の一部を下地２０から剥がしてめくり上げ、粘着層５０を化粧材シート１０の下地２０側の面、または下地２０の表面に設ける。そして、化粧材シート１０の剥がした部分を粘着層５０で再度下地２０に貼り付ける。
【０１１９】
なお、化粧材シート１０を下地２０に位置決めする前に、下地２０の表面の一部または化粧材シート１０のマグネット層１４側の表面の一部に予め剥離フィルム付きの両面粘着テープを粘着層５０として取り付けてもよい。その場合、化粧材シート１０を下地２０に位置決めし、マグネット層１４の磁力で化粧材シート１０を下地２０に貼り付けた後、粘着層５０を設けた部分が露出するように化粧材シート１０の一部を下地２０から剥がしてめくり上げ、粘着層５０の剥離フィルムを除去する。そして、化粧材シート１０の剥がした部分を粘着層５０で再度下地２０に貼り付ける。
【０１２０】
本実施形態に係る施工方法は、たとえば、化粧材シート１０と両面粘着テープまたは粘着剤とを含む施工セットを用いて実現される。
【０１２１】
次に、本実施形態の作用および効果について説明する。本実施形態によれば、第１の実施形態と同様の作用および効果が得られる。
【０１２２】
以上、図面を参照して本発明の実施形態について述べたが、これらは本発明の例示であり、上記以外の様々な構成を採用することもできる。
【符号の説明】
【０１２３】
１０  化粧材シート
１２  化粧層
１３  接着層
１４  マグネット層
２０  下地
２２  第１下地層
２４  第２下地層
３０  躯体
５０  粘着層
１０１  第１面
１０２  第２面
１２０  表面層
１２１  印刷部
１２２  印刷基材
１２３  第１樹脂層
１２４  第２樹脂層
１２９  芯材層
２０１  パテ
２０２  上辺
２０３  下辺
【図１】
2018083328.tif 000003
【図２】
2018083328.tif 000004
【図３】
2018083328.tif 000005
【図４】
2018083328.tif 000006
【図５】
2018083328.tif 000007
【図６】
2018083328.tif 000008
【図７】
2018083328.tif 000009